(57)【要約】【課題】  エアゾール製品の内容物がエアゾール製品の外部から内部にマウンテンカップのステム用孔を介して充填される場合に、マウンテンカップとカバーとの間に内容物が流入することを防止することができるエアゾールバルブを提供する。【解決手段】  エアゾールバルブ３０は、エアゾール製品１０の内容物の噴射を行うためのステム７０と、内容物を収納する容器２０に取り付けられるためのマウンテンカップ４０と、マウンテンカップ４０が容器２０に取り付けられた場合にマウンテンカップ４０のうち容器２０の内部側になる部分を覆う合成樹脂製のカバー５０とを備えており、マウンテンカップ４０は、ステム７０が挿入される貫通孔であるステム用孔４０ａが形成されており、マウンテンカップ４０は、ステム用孔４０ａの近傍でカバー５０を挟み込んで固定しているカバー挟込部４３を備えていることを特徴とする。【選択図】  図１
2013112364.tif 000002
【特許請求の範囲】
【請求項１】
エアゾール製品の内容物の噴射を行うためのステムと、前記内容物を収納する容器に取り付けられるためのマウンテンカップと、前記マウンテンカップが前記容器に取り付けられた場合に前記マウンテンカップのうち前記容器の内部側になる部分を覆う合成樹脂製のカバーとを備えており、
前記マウンテンカップは、前記ステムが挿入される貫通孔であるステム用孔が形成されており、
前記マウンテンカップは、前記ステム用孔の近傍で前記カバーを挟み込んで固定しているカバー挟込部を備えていることを特徴とするエアゾールバルブ。
【請求項２】
前記マウンテンカップは、前記ステム用孔を形成する端部である孔形成端部を備えており、
前記孔形成端部は、前記カバー挟込部の一部を構成しており、
前記カバー挟込部は、前記ステムの延在方向に前記孔形成端部が前記カバーを押し付けていることによって、前記カバーを挟み込んで固定していることを特徴とする請求項１に記載のエアゾールバルブ。
【請求項３】
前記カバーは、前記マウンテンカップが前記容器に取り付けられた場合に前記容器および前記マウンテンカップの隙間を封ずるシール部を備えていることを特徴とする請求項１または請求項２に記載のエアゾールバルブ。
【請求項４】
請求項１から請求項３までの何れかに記載のエアゾールバルブと、前記エアゾールバルブが取り付けられた前記容器とを備えていることを特徴とするエアゾール製品。
【発明の詳細な説明】
【技術分野】
【０００１】
本発明は、エアゾール製品に使用されるエアゾールバルブに関する。
【背景技術】
【０００２】
従来、エアゾールバルブとして、エアゾール製品の内容物の噴射を行うためのステムと、この内容物を収納する容器に取り付けられるためのマウンテンカップとを備えているものが知られている（特許文献１参照。）。このマウンテンカップは、ステムが挿入される貫通孔であるステム用孔が形成されている。また、マウンテンカップには、容器に取り付けられた場合に容器の内部側になる部分に樹脂被膜が設けられている。この樹脂被膜は、マウンテンカップを形成する金属が内容物によって腐食させられること、マウンテンカップを形成する金属が内容物に溶け出すことなど、マウンテンカップが内容物と触れることによって生じる不具合を防止するために設けられている。
【先行技術文献】
【特許文献】
【０００３】
【特許文献１】特開２０００−２７２６８１号公報
【発明の概要】
【発明が解決しようとする課題】
【０００４】
本願の発明者は、マウンテンカップが内容物と触れることによって生じる不具合を、マウンテンカップとは別に製造された合成樹脂製のカバーによって防止することを考えた。しかしながら、本願の発明者は、マウンテンカップが容器に取り付けられた場合にマウンテンカップのうち容器の内部側になる部分を覆う合成樹脂製のカバーをエアゾールバルブが備えた場合、エアゾール製品の内容物がエアゾール製品の外部から内部にマウンテンカップのステム用孔を介して充填されるときに、マウンテンカップとカバーとの間に内容物が流入するという問題を発見した。
【０００５】
そこで、本発明は、エアゾール製品の内容物がエアゾール製品の外部から内部にマウンテンカップのステム用孔を介して充填される場合に、マウンテンカップとカバーとの間に内容物が流入することを防止することができるエアゾールバルブを提供することを目的とする。
【課題を解決するための手段】
【０００６】
本発明のエアゾールバルブは、エアゾール製品の内容物の噴射を行うためのステムと、前記内容物を収納する容器に取り付けられるためのマウンテンカップと、前記マウンテンカップが前記容器に取り付けられた場合に前記マウンテンカップのうち前記容器の内部側になる部分を覆う合成樹脂製のカバーとを備えており、前記マウンテンカップは、前記ステムが挿入される貫通孔であるステム用孔が形成されており、前記マウンテンカップは、前記ステム用孔の近傍で前記カバーを挟み込んで固定しているカバー挟込部を備えていることを特徴とする。
【０００７】
この構成により、本発明のエアゾールバルブは、マウンテンカップがステム用孔の近傍でカバーを挟み込んで固定しているので、エアゾール製品の内容物がエアゾール製品の外部から内部にステム用孔を介して充填される場合に、マウンテンカップとカバーとの間に内容物が流入することを防止することができる。
【０００８】
また、本発明のエアゾールバルブの前記マウンテンカップは、前記ステム用孔を形成する端部である孔形成端部を備えており、前記孔形成端部は、前記カバー挟込部の一部を構成しており、前記カバー挟込部は、前記ステムの延在方向に前記孔形成端部が前記カバーを押し付けていることによって、前記カバーを挟み込んで固定していても良い。
【０００９】
この構成により、本発明のエアゾールバルブは、孔形成端部がカバーとステムとの間でステムの延在方向と直交する方向にカバーを押し付けている構成と比較して、孔形成端部をエアゾール製品の内部から遠ざけることができるので、エアゾール製品の内容物が孔形成端部に触れることによって生じる不具合の発生を抑えることができる。
【００１０】
また、本発明のエアゾールバルブの前記カバーは、前記マウンテンカップが前記容器に取り付けられた場合に前記容器および前記マウンテンカップの隙間を封ずるシール部を備えていても良い。
【００１１】
この構成により、本発明のエアゾールバルブは、マウンテンカップがエアゾール製品の内容物と触れることによって生じる不具合だけでなく、エアゾール製品の容器と、マウンテンカップとの隙間を介してエアゾール製品の内容物がエアゾール製品の内部から外部に漏れ出すことも、同一のカバーによって防止することができる。
【００１２】
また、本発明のエアゾール製品は、本発明のエアゾールバルブと、前記エアゾールバルブが取り付けられた前記容器とを備えていることを特徴とする。
【００１３】
この構成により、本発明のエアゾール製品は、マウンテンカップがステム用孔の近傍でカバーを挟み込んで固定しているので、内容物が外部から内部にステム用孔を介して充填される場合に、マウンテンカップとカバーとの間に内容物が流入することを防止することができる。
【発明の効果】
【００１４】
本発明のエアゾールバルブは、エアゾール製品の内容物がエアゾール製品の外部から内部にマウンテンカップのステム用孔を介して充填される場合に、マウンテンカップとカバーとの間に内容物が流入することを防止することができる。
【図面の簡単な説明】
【００１５】
【図１】本発明の一実施の形態に係るエアゾール製品の側面断面図である。
【図２】カバーが取り付けられる前の図１に示すマウンテンカップの側面断面図である。
【図３】マウンテンカップに取り付けられる前の図１に示すカバーの側面断面図である。
【図４】（ａ）図２に示すマウンテンカップにカバーが押し込められた状態を示す図である。（ｂ）図４（ａ）に示すマウンテンカップがプレス加工によって変形されている途中の状態を示す図である。
【図５】図２に示すマウンテンカップにカバーが取り付けられた状態を示す図である。
【図６】図１に示す例とは異なる例での本発明の一実施の形態に係るエアゾール製品の側面断面図である。
【図７】図６に示す例においてマウンテンカップにカバーが取り付けられた状態を示す図である。
【発明を実施するための形態】
【００１６】
以下、本発明の一実施の形態について、図面を用いて説明する。
【００１７】
まず、本実施の形態に係るエアゾール製品の構成について説明する。
【００１８】
図１は、本実施の形態に係るエアゾール製品１０の側面断面図である。
【００１９】
図１に示すように、エアゾール製品１０は、内容物を収納する容器２０と、容器２０に取り付けられたエアゾールバルブ３０と、エアゾールバルブ３０に取り付けられた合成樹脂製のボタン９０とを備えている。
【００２０】
以下において、容器２０と、エアゾールバルブ３０とによって囲まれた空間を容器内空間１０ａという。
【００２１】
容器２０は、金属製であり、内面に樹脂被膜が設けられている。容器２０は、開口２１の周囲に形成されたビード部２２を有している。容器２０の内容物には、例えば液体状態のガスなどの噴射剤も含まれている。以下においては、粉末と、噴射剤である液体状態のガスとが内容物である例について説明する。
【００２２】
エアゾールバルブ３０は、容器２０に取り付けられるための金属製のマウンテンカップ（Ｍｏｕｎｔｉｎｇ  Ｃｕｐ）４０と、マウンテンカップ４０が容器２０に取り付けられた場合にマウンテンカップ４０のうち容器２０の内部側になる部分を覆う合成樹脂製のカバー５０と、容器２０の内部側でマウンテンカップ４０に固定されている合成樹脂製のハウジング６０と、内容物の噴射を行うための合成樹脂製のステム７０と、マウンテンカップ４０およびハウジング６０に挟まれていてステム７０が挿入されているゴム製のステムラバー８１と、ハウジング６０に収納されて容器２０の外部側に向けてステム７０を付勢する金属製のスプリング８２と、容器２０の内部でハウジング６０に取り付けられた合成樹脂製のパイプ８３とを備えている。
【００２３】
以下において、ハウジング６０と、ステム７０と、ステムラバー８１とによって囲まれた空間をバルブ内空間１０ｂという。
【００２４】
マウンテンカップ４０は、ステム７０が挿入される貫通孔であるステム用孔４０ａが中央に形成されている。マウンテンカップ４０は、カバー５０を挟んで容器２０のビード部２２に取り付けられる容器取付部４１と、中央に設けられていてハウジング６０を保持するハウジング保持部４２と、ステム用孔４０ａの近傍でカバー５０を挟み込んで固定しているカバー挟込部４３とを備えている。
【００２５】
カバー挟込部４３は、ステム用孔４０ａを形成する端部である孔形成端部４３ａと、ハウジング保持部４２および孔形成端部４３ａを接続して孔形成端部４３ａとともにカバー５０を挟み込む挟込接続部４３ｂとを備えている。カバー挟込部４３は、ステム７０の延在方向である矢印３０ａで示す方向に孔形成端部４３ａがカバー５０を押し付けていることによって、カバー５０を挟み込んで固定している。
【００２６】
カバー５０は、マウンテンカップ４０のカバー挟込部４３に挟み込まれる端部である被挟込端部５１と、マウンテンカップ４０が容器２０に取り付けられた場合に容器２０およびマウンテンカップ４０の隙間を封ずる端部であるシール部５２とを備えている。
【００２７】
ハウジング６０は、マウンテンカップ４０のハウジング保持部４２によって保持されている部分に形成されたスリット６０ａと、気化したガスを流通させるために容器内空間１０ａおよびバルブ内空間１０ｂを連通させるベーパータップ孔６０ｂと、液体状態のガスおよび粉末を流通させるためにバルブ内空間１０ｂおよびパイプ８３の流路８３ａを連通させる主孔６０ｃとが形成されている。ハウジング６０は、ハウジング６０およびステム７０の間に流路を形成するために放射状に複数設けられたリブ６１を備えている。なお、ステム７０が押し下げられていないとき、バルブ内空間１０ｂには、容器内空間１０ａ内で気化してベーパータップ孔６０ｂを介して導入されたガスが充満している。
【００２８】
ステム７０は、容器２０の内容物を容器２０の外部に噴出するための非貫通の噴出孔７１と、噴出孔７１に連通しているステム孔７２とを備えている。
【００２９】
ステムラバー８１は、矢印３０ａで示す方向に貫通してステム７０が挿入されている孔８１ａが形成されている。
【００３０】
ボタン９０は、利用者によって押されるための操作部９１と、エアゾールバルブ３０のステム７０に取り付けられるステム取付部９２とを備えている。ボタン９０は、ステム取付部９２が取り付けられたステム７０から噴射された内容物を外部に噴射するための噴射孔９０ａが形成されている。
【００３１】
次に、マウンテンカップ４０へのカバー５０の取り付け方法について説明する。
【００３２】
図２は、カバー５０が取り付けられる前のマウンテンカップ４０の側面断面図である。図３は、マウンテンカップ４０に取り付けられる前のカバー５０の側面断面図である。図４（ａ）は、マウンテンカップ４０にカバー５０が押し込められた状態を示す図である。図４（ｂ）は、マウンテンカップ４０がプレス加工によって変形されている途中の状態を示す図である。図５は、マウンテンカップ４０にカバー５０が取り付けられた状態を示す図である。
【００３３】
図２に示すマウンテンカップ４０に図３に示すカバー５０が押し込められると、カバー５０がその柔軟性によって変形するので、マウンテンカップ４０およびカバー５０は、図４（ａ）に示す状態になる。
【００３４】
次いで、マウンテンカップ４０の孔形成端部４３ａが挟込接続部４３ｂに近付くとともに、挟込接続部４３ｂがハウジング保持部４２に近付くように、孔形成端部４３ａおよび挟込接続部４３ｂがプレス加工によって変形されると、マウンテンカップ４０およびカバー５０は、図４（ｂ）に示す状態になった後、最終的に図５に示す状態になる。
【００３５】
最後に、カバー５０のうち、例えば、マウンテンカップ４０の容器取付部４１に接触する部分と、マウンテンカップ４０の容器取付部４１およびハウジング保持部４２の略中間の部分に接触する部分との少なくとも２か所が加熱されることによってマウンテンカップ４０に溶着される。
【００３６】
次に、エアゾールバルブ３０の製造方法について説明する。
【００３７】
図５に示す状態であるマウンテンカップ４０およびカバー５０は、マウンテンカップ４０のハウジング保持部４２がカシメられることによって、ステム７０、ステムラバー８１およびスプリング８２を収納しているハウジング６０を保持する。ここで、カバー５０は、その柔軟性によってマウンテンカップ４０の変形とともに変形する。そして、ハウジング６０にパイプ８３が取り付けられる。以上のようにして、エアゾールバルブ３０は製造される。
【００３８】
次に、エアゾール製品１０の製造方法について説明する。
【００３９】
以上のようにして製造されたエアゾールバルブ３０は、マウンテンカップ４０の容器取付部４１がカシメられることによって、容器２０のビード部２２に取り付けられる。ここで、カバー５０は、その柔軟性によってマウンテンカップ４０の変形とともに変形する。
【００４０】
そして、マウンテンカップ４０のステム用孔４０ａと、ステム７０との間から液体状態のガスおよび粉末が内容物として導入されると、導入された液体状態のガスおよび粉末の圧力によってステムラバー８１が押し下がり、カバー５０と、ステムラバー８１との間に空間が生じる。
【００４１】
したがって、マウンテンカップ４０のステム用孔４０ａと、ステム７０との間から導入された液体状態のガスおよび粉末は、カバー５０と、ステムラバー８１との間に生じた空間と、ハウジング６０のスリット６０ａとを介して、容器内空間１０ａに充填される。
【００４２】
なお、マウンテンカップ４０がステム用孔４０ａの近傍でカバー５０を挟み込んで固定しているので、エアゾール製品１０の内容物は、エアゾール製品１０の外部から内部にステム用孔４０ａを介して充填される場合に、マウンテンカップ４０とカバー５０との間に流入することがない。
【００４３】
最後に、エアゾールバルブ３０のステム７０にボタン９０が取り付けられる。以上のようにして、エアゾール製品１０は製造される。
【００４４】
次に、エアゾール製品１０の使用方法について説明する。
【００４５】
ボタン９０は、利用者によって操作部９１が押し下げられると、エアゾールバルブ３０のステム７０をスプリング８２に抗して押し下げる。
【００４６】
ステム７０が押し下げられると、孔８１ａを形成する部分でステム７０に接触しているステムラバー８１がステム７０の移動に伴って変形することによって、ステムラバー８１によるステム孔７２の封が解除される。
【００４７】
ステムラバー８１によるステム孔７２の封が解除されて、ステム孔７２がバルブ内空間１０ｂと、噴出孔７１とを連通させると、バルブ内空間１０ｂに充満していたガスがステム孔７２を介して噴出孔７１から噴出する。噴出孔７１から噴出したガスは、ボタン９０の噴射孔９０ａを介してエアゾール製品１０の外部に噴射される。
【００４８】
バルブ内空間１０ｂに充満していたガスがステム孔７２を介して噴出孔７１から噴出すると、バルブ内空間１０ｂの圧力が減少することによって、液体状態のガスおよび粉末がパイプ８３の流路８３ａおよびハウジング６０の主孔６０ｃを介してバルブ内空間１０ｂ内に導入されるとともに、容器内空間１０ａ内で気化したガスもハウジング６０のベーパータップ孔６０ｂを介してバルブ内空間１０ｂ内に導入される。そして、バルブ内空間１０ｂ内に導入されたガスおよび粉末は、互いに混ぜ合わされてステム孔７２を介して噴出孔７１から噴出する。噴出孔７１から噴出したガスおよび粉末は、ボタン９０の噴射孔９０ａを介してエアゾール製品１０の外部に噴射される。
【００４９】
このようにして、エアゾール製品１０の内容物である粉末は、ボタン９０の噴射孔９０ａを介してエアゾール製品１０の外部に噴射される。
【００５０】
以上に説明したように、エアゾール製品１０およびエアゾールバルブ３０は、マウンテンカップ４０がステム用孔４０ａの近傍でカバー５０を挟み込んで固定しているので、エアゾール製品１０の内容物がエアゾール製品１０の外部から内部にステム用孔４０ａを介して充填される場合に、マウンテンカップ４０とカバー５０との間に内容物が流入することを防止することができる。
【００５１】
なお、合成樹脂製のカバー５０は、マウンテンカップ４０が容器２０に取り付けられた場合にマウンテンカップ４０のうち容器２０の内部側になる部分を覆っているので、マウンテンカップ４０を形成する金属がエアゾール製品１０の内容物によって腐食させられること、マウンテンカップ４０を形成する金属がエアゾール製品１０の内容物に溶け出すことなど、マウンテンカップ４０がエアゾール製品１０の内容物と触れることによって生じる不具合を防止することができる。
【００５２】
エアゾール製品１０およびエアゾールバルブ３０は、マウンテンカップ４０が容器２０に取り付けられた場合に容器２０およびマウンテンカップ４０の隙間を封ずるシール部５２をカバー５０が備えているので、マウンテンカップ４０がエアゾール製品１０の内容物と触れることによって生じる不具合だけでなく、エアゾール製品１０の容器２０と、マウンテンカップ４０との隙間を介してエアゾール製品１０の内容物がエアゾール製品１０の内部から外部に漏れ出すことも、同一のカバー５０によって防止することができる。
【００５３】
なお、エアゾール製品１０およびエアゾールバルブ３０は、マウンテンカップ４０が容器２０に取り付けられた場合に容器２０およびマウンテンカップ４０の隙間を封ずるシール部材を、カバー５０とは別に備えるようになっていても良い。
【００５４】
エアゾール製品１０およびエアゾールバルブ３０は、ステム７０の延在方向である矢印３０ａで示す方向にマウンテンカップ４０の孔形成端部４３ａがカバー５０を押し付けていることによって、カバー挟込部４３がカバー５０を挟み込んで固定しているので、孔形成端部４３ａがカバー５０とステム７０との間でステム７０の延在方向と直交する方向にカバー５０を押し付けている構成と比較して、孔形成端部４３ａをエアゾール製品１０の内部から遠ざけることができる。したがって、エアゾール製品１０およびエアゾールバルブ３０は、孔形成端部４３ａがカバー５０とステム７０との間でステム７０の延在方向と直交する方向にカバー５０を押し付けている構成と比較して、エアゾール製品１０の内容物が孔形成端部４３ａに触れることによって生じる不具合の発生を抑えることができる。
【００５５】
なお、エアゾール製品１０およびエアゾールバルブ３０は、ステム７０の延在方向に孔形成端部４３ａがカバー５０を押し付けている構成でなくても良い。例えば、エアゾール製品１０およびエアゾールバルブ３０は、図６および図７に示すように、孔形成端部４３ａがカバー５０とステム７０との間でステム７０の延在方向と直交する方向にカバー５０を押し付けている構成であっても良い。
【００５６】
図６は、図１に示す例とは異なる例での本発明の一実施の形態に係るエアゾール製品１０の側面断面図である。図７は、図６に示す例においてマウンテンカップ４０にカバー５０が取り付けられた状態を示す図である。
【００５７】
図６および図７に示すマウンテンカップ４０は、ステム７０の延在方向と直交する方向に孔形成端部４３ａがカバー５０を押し付けていることによって、カバー挟込部４３がカバー５０を挟み込んで固定している。すなわち、図６および図７に示すエアゾール製品１０およびエアゾールバルブ３０は、孔形成端部４３ａがカバー５０とステム７０との間でステム７０の延在方向と直交する方向にカバー５０を押し付けていることによって、カバー挟込部４３がカバー５０を挟み込んで固定している。
【００５８】
ここで、カバー挟込部４３が図６に示すような構成である場合、マウンテンカップ４０のうちステム用孔４０ａを形成する面は、例えば、ステム７０の移動に伴ってステムラバー８１が変形したときなどに、ステムラバー８１に接触する可能性がある。したがって、図６に示すエアゾール製品１０は、ステムラバー８１を透過したエアゾール製品１０の内容物とマウンテンカップ４０が触れる可能性が、図１に示すエアゾール製品１０と比較して高い。すなわち、図６に示すエアゾール製品１０は、エアゾール製品１０の内容物がマウンテンカップ４０に触れることによって生じる上述した不具合が発生する可能性が、図１に示すエアゾール製品１０と比較して高い。
【００５９】
なお、マウンテンカップ４０のうちステム用孔４０ａを形成する面は、マウンテンカップ４０が金属板から切断された後でプレス加工によって製造される場合に、切断面である。したがって、マウンテンカップ４０が切断される前の金属板の表面に樹脂被膜が設けられていたとしても、切断面には樹脂被膜が設けられていない。すなわち、マウンテンカップ４０のうちステム用孔４０ａを形成する面は、マウンテンカップ４０が金属板から切断された後でプレス加工によって製造される場合に、エアゾール製品１０の内容物と触れることによって上述した不具合が生じ易い。
【符号の説明】
【００６０】
１０  エアゾール製品
２０  容器
３０  エアゾールバルブ
４０  マウンテンカップ
４０ａ  ステム用孔
４３  カバー挟込部
４３ａ  孔形成端部
５０  カバー
５２  シール部
７０  ステム
【図１】
2013112364.tif 000003
【図２】
2013112364.tif 000004
【図３】
2013112364.tif 000005
【図４】
2013112364.tif 000006
【図５】
2013112364.tif 000007
【図６】
2013112364.tif 000008
【図７】
2013112364.tif 000009